(57)【要約】      （修正有）【課題】多数の光ディスクを一度にクリーニングするときの作業性を向上させる。【解決手段】光ディスク固定台の連結構造は、光ディスク固定台１００Ａの基台１及び上板２の左側面に第１の連結用凸部５Ａが設けられ、右側面に第１の連結用凹部６Ａが設けられている。これにより、１つの光ディスク固定台１００Ａの第１の連結用凸部５Ａがもう１つの光ディスク固定台の第１の連結用凹部６Ａに嵌め込まれて２つの光ディスク固定台が左右方向に連結されるようになっている。第１の連結用凸部５Ａ及び第１の連結用凹部６Ａは、それぞれ台形状になっていて、その鋭角の角部が２つの光ディスク固定台の連結がはずれるのを防止するための引き掛け部５５Ａ，６６Ａになっている。【選択図】図１
0003141341.tif 000002
【実用新案登録請求の範囲】
【請求項１】
上面に光ディスク収納部が設けられ、
左側面に第１の連結用凸部が設けられ、右側面に第１の連結用凹部が設けられた光ディスク固定台の連結構造であって、
１つの光ディスク固定台の前記第１の連結用凸部がもう１つの光ディスク固定台の前記第１の連結用凹部に嵌め込まれて２つの光ディスク固定台が左右方向に連結されることを特徴とする光ディスク固定台の連結構造。
【請求項２】
前記光ディスク収納部は前記上面に形成された円形状の凹部であることを特徴とする請求項１に記載の光ディスク固定台の連結構造。
【請求項３】
前記第１の連結用凸部及び前記第１の連結用凹部は、前記２つの光ディスク固定台の連結がはずれるのを防止するための引き掛け部を有していることを特徴とする請求項１に記載の光ディスク固定台の連結構造。
【請求項４】
前記光ディスク固定台の上側面に第２の連結用凸部が設けられ、前記光ディスク固定台の下側面に第２の連結用凹部が設けられ、１つの光ディスク固定台の前記第２の連結用凸部がもう１つの光ディスク固定台の前記第２の連結用凹部に嵌め込まれて２つの光ディスク固定台が上下方向に連結されることを特徴とする請求項１に記載の光ディスク固定台の連結構造。
【請求項５】
前記第２の連結用凸部及び前記第２の連結用凹部は、前記２つの光ディスク固定台の連結がはずれるのを防止するための引き掛け部を有していることを特徴とする請求項４に記載の光ディスク固定台の連結構造。
【請求項６】
前記光ディスク固定台は、基台と、基台に接着された上板とを備え、前記上板の略中央部は、光ディスクと略同直径の円形にくり抜かれていることを特徴とする請求項１乃至５のいずれか１項に記載の光ディスク固定台の連結構造。
【請求項７】
前記基台は、発泡性樹脂材からなることを特徴とする請求項６に記載の光ディスク固定台の連結構造。
【考案の詳細な説明】
【技術分野】
【０００１】
本考案は、光ディスク固定台の連結構造に関する。
【背景技術】
【０００２】
従来、ＣＤ、ＤＶＤ（デジタルビデオディスク）等の光ディスクの情報読取面に付着した埃、指紋、油脂膜等を布や、クリーナーパッド等によって拭き取るクリーニングが行われていた。この光ディスクのクリーニング作業を行う際に、光ディスクは手で支持されるか、又は、手で持った場合に光ディスクに指紋等が付着することを防止するために、光ディスクを固定台上に載置してクリーニング作業が行われていた。
【０００３】
尚、光ディスククリーナーについては、特許文献１に記載されている。
【特許文献１】特開２００４−３０７６１号公報
【考案の開示】
【考案が解決しようとする課題】
【０００４】
光ディスクの貸し出しを行う、店舗、図書館においては、多数の光ディスクを一度にクリーニングしたいという要望があったが、従来の光ディスク固定台では、１台ずつに分離されていたので作業性が悪かった。
【０００５】
また、従来の光ディスク固定台では、光ディスクの穴部をクリーニング台に固定していたため、クリーニング作業を行うときに、光ディスクの情報読取面が回転してしまい、クリーニング作業が円滑に行えないという問題があった。
【課題を解決するための手段】
【０００６】
本考案の光ディスク固定台の連結構造は、上面に光ディスク収納部が設けられ、左側面に第１の連結用凸部が設けられ、右側面に第１の連結用凹部が設けられた光ディスク固定台の連結構造であって、１つの光ディスク固定台の前記第１の連結用凸部がもう１つの光ディスク固定台の前記第１の連結用凹部に嵌め込まれて２つの光ディスク固定台が左右方向に連結されることを特徴とする。前記光ディスク収納部は前記上面に形成された円形状の凹部であることが好ましい。
【考案の効果】
【０００７】
本考案の光ディスク固定台の連結構造によれば、複数の光ディスク固定台を相互に連結することができるので、多数の光ディスクを一度にクリーニングするときの作業性を向上させることができる。
【０００８】
また、光ディスク固定台の上面に、円盤状の光ディスクを収納するための円形状の凹部が設けられているので、光ディスクの情報読取面の裏面の全体が凹部の底に接触することで、クリーニング作業時の光ディスクの回転を防止することができる。
【０００９】
本考案の光ディスク固定台の連結構造の用途は、クリーニングに限らず、光ディスクを固定するための他の用途に用いることができる。例えば、光ディスクにコーティング材を塗布する際にも、本考案の光ディスク固定台の連結構造を用いることで塗布作業の作業性を向上させることができる。
【考案を実施するための最良の形態】
【００１０】
以下で、本考案の実施形態による光ディスク固定台の連結構造について図面を参照しながら説明する。図１は、１つの光ディスク固定台１００Ａの構成を示す図である。図１（Ａ）にはその平面図、図１（Ｂ）には図１（Ａ）のＸ−Ｘ線断面図を示してある。図２は、光ディスク固定台１００Ａの斜視図である。本実施形態の光ディスク固定台の連結構造においては、他の光ディスク固定台も同一の構成を有しており、相互に連結可能に構成されている。
【００１１】
基台１の上面に、平面的に見ると同一形状の上板２が接着剤を用いて接着されている。図１（Ａ）に示すように、上板２の略中央部は、光ディスクと略同直径の円形にくり抜かれている。これにより、基台１の上面には円形の凹部からなる光ディスク収納部３が形成されている。また、基台１には光ディスクを光ディスク収納部３に収納したときの光ディスクの穴部に対応させて、前記穴部と同一形状の貫通穴４が形成されていることが好ましい。光ディスクは、その情報読取面を上に向けて光ディスク収納部３に嵌め込まれるので、光ディスクの裏面全体が凹部の底（基台１の上面）に接触することで、クリーニング作業時の光ディスクの回転を防止することができる。
【００１２】
基台１は軽量化と光ディスクの回転を摩擦力により抑えるために、ポリエチレン等の発砲性樹脂で形成されることが好ましく、上板２は軽量化とある程度の強度を持たせるためにポリプロピレン等の樹脂材で形成されていることが好ましい。
【００１３】
また、図１（Ａ）に示すように、基台１及び上板２の左側面に第１の連結用凸部５Ａが設けられ、それらの右側面に第１の連結用凹部６Ａが設けられている。これにより、図３に示すように、１つの光ディスク固定台１００Ａの第１の連結用凸部５Ａが、同一構成のもう１つの光ディスク固定台１００Ｂの第１の連結用凹部６Ａに嵌め込まれて、２つの光ディスク固定台１００Ａ，１００Ｂが左右方向に連結されるようになっている。第１の連結用凸部５Ａ及び第１の連結用凹部６Ａは、それぞれ台形状になっていて、その鋭角の角部が２つの光ディスク固定台１００Ａ，１００Ｂの連結がはずれるのを防止するための引き掛け部５５Ａ，６６Ａになっている。
【００１４】
また、基台１及び上板２の上側面に第２の連結用凸部５Ｂが設けられ、それらの下側面に第２の連結用凹部６Ｂが設けられている。これにより、図３に示すように、１つの光ディスク固定台１００Ａの第２の連結用凹部６Ｂに、同一構成のもう１つの光ディスク固定台１００Ｃの第２の連結用凸部５Ｂが嵌め込まれて２つの光ディスク固定台１００Ａ，１００Ｃが上下方向に連結されるようになっている。第２の連結用凸部５Ｂ及び第２の連結用凹部６Ｂは、それぞれ台形状になっていて、その鋭角の角部が２つの光ディスク固定台１００Ａ，１００Ｃの連結がはずれるのを防止するための引き掛け部５５Ｂ，６６Ｂになっている。
【００１５】
同様にして、同一構成の光ディスク固定台１００Ｄは、光ディスク固定台１００Ｃの右側と、光ディスク固定台１００Ｂの下側に連結される。このようにして、光ディスク固定台は上下あるいは左右に、隙間無く幾つでも連結することができる。これにより、多数の光ディスクを一度にクリーニングするときの作業性を向上させることができる。
【００１６】
なお、本考案は上記実施形態に限定されることはなく、その要旨を逸脱しない範囲で変更が可能なことは言うまでもない。例えば、光ディスク固定台１００Ａ〜１００Ｄに、第１の連結用凸部５Ａ、第１の連結用凹部６Ａのみを設け、左右方向のみに連結可能にしてもよい。同様に、光ディスク固定台１００Ａ〜１００Ｄに、第２の連結用凸部５Ｂ、第２の連結用凹部６Ｂのみを設け、上下方向のみに連結可能にしてもよい。
【００１７】
また、光ディスク固定台１００Ａ〜１００Ｄは、基台１上に上板２を接着して形成しているが、上板２と基台１とを一体にして同一材料（例えば、全体を発泡性樹脂で形成する）で形成してもよい。
【００１８】
さらに、本実施形態の光ディスク固定台の連結構造の用途は、クリーニングに限らず、光ディスクを固定するための他の用途に用いることができる。例えば、登録実用新案第３１２７８３８号に開示されているように、光ディスクの保護や傷を修復するために、その表面にコーティング材を塗布する際にも、本考案の光ディスク固定台の連結構造を用いることで塗布作業の作業性を向上させることができる。
【図面の簡単な説明】
【００１９】
【図１】本考案の実施形態による光ディスク固定台の構成を示す図である。
【図２】本考案の実施形態による光ディスク固定台の斜視図である。
【図３】本考案の実施形態による光ディスク固定台の連結構造を示す平面図である。
【符号の説明】
【００２０】
１・・・基台
２・・・上板
３・・・光ディスク収納部
４・・・貫通穴
５Ａ・・・第１の連結用凸部
５Ｂ・・・第２の連結用凸部
６Ａ・・・第１の連結用凹部
６Ｂ・・・第２の連結用凹部
５５Ａ，５５Ｂ・・・引き掛け部
６６Ａ，６６Ｂ・・・引き掛け部
１００Ａ〜１００Ｄ・・・光ディスク固定台
【図１】
0003141341.tif 000003
【図２】
0003141341.tif 000004
【図３】
0003141341.tif 000005